(57)【要約】【課題】簡単な操作で、しかも安定的に固定することができる医療用バッグの固定具を提供すること。【解決手段】本発明の医療用バッグの固定具１は、蓄尿バッグ１０の上端部に設けられた管状部１４に挿入して装着される装着部２と、車椅子の座面（シート状物）の上面に係合する係合部３と、これらを連結する連結部４とで構成されている。装着部２および係合部３は、それぞれ、横断面が円形で、先端が丸みをおびた棒状体で構成されており、これらは間隙距離Ｓを隔ててほぼ平行に配置されている。【選択図】図１
2004201992.tif 000002
【特許請求の範囲】
【請求項１】
液体を貯留し得るバッグ本体を有する医療用バッグをシート状物に固定する医療用バッグの固定具であって、
前記医療用バッグの上端部に装着される装着部と、前記シート状物の上面に係合する係合部とを有することを特徴とする医療用バッグの固定具。
【請求項２】
前記装着部は、その全部または一部が第１の棒状体で構成され、前記係合部は、前記第１の棒状体とほぼ平行な第２の棒状体で構成されており、前記第１の棒状体と前記第２の棒状体との間に前記シート状物を挿入するように構成されている請求項１に記載の医療用バッグの固定具。
【請求項３】
前記第１の棒状体および前記第２の棒状体の一端側に、前記第１の棒状体と前記第２の棒状体とを連結する連結部を有する請求項２に記載の医療用バッグの固定具。
【請求項４】
前記連結部は、医療用バッグの固定具をシート状物に固定する際に手で把持する把持部として機能する請求項３に記載の医療用バッグの固定具。
【請求項５】
前記係合部は、前記シート状物に当接する面を有し、この面が平坦な面で構成されている請求項１ないし４のいずれかに記載の医療用バッグの固定具。
【請求項６】
前記係合部は、前記シート状物に対する摩擦抵抗を増大する滑り止め手段を有する請求項１ないし４のいずれかに記載の医療用バッグの固定具。
【請求項７】
前記装着部と前記係合部とは、互いに他方の機能を兼ね備えている請求項１ないし６のいずれかに記載の医療用バッグの固定具。
【請求項８】
前記装着部と前記係合部とは、ほぼ同一の形状をなしている請求項１ないし７のいずれかに記載の医療用バッグの固定具。
【請求項９】
前記シート状物は、車椅子の座面である請求項１ないし８のいずれかに記載の医療用バッグの固定具。
【請求項１０】
前記医療用バッグは、蓄尿バッグである請求項１ないし９のいずれかに記載の医療用バッグの固定具。
【発明の詳細な説明】
【０００１】
【発明の属する技術分野】
本発明は、医療用バッグを例えば車椅子の座面のようなシート状物に対し固定する医療用バッグの固定具に関する。
【０００２】
【従来の技術】
患者の尿道に挿入されたチューブを介して尿を採取し、貯留する蓄尿バッグが知られている。この場合、患者がベッドに寝ているときは、蓄尿バッグはベッドサイド（ベッドフレーム）に紐などで吊り下げられ、患者が車椅子で移動するときには、蓄尿バッグは車椅子のフレーム（ステー）に紐などで吊り下げられている。
【０００３】
また、蓄尿バッグをベッドフレームに固定するハンガー組立体も開発されている（例えば、特許文献１参照）。しかし、このハンガー組立体でも、紐またはフックにより蓄尿バッグをベッドフレームに吊り下げる構成であるため、次のような欠点がある。
【０００４】
すなわち、蓄尿バッグが安定して固定されず、また、紐を結ぶ、解くなどの操作に手間がかかる。また、患者が寝ているベッドのベッドフレームに固定することを想定しており、患者が車椅子で移動する際に車椅子に固定することを想定した構成とはなっていないので、これを車椅子にそのまま適用すると、車椅子で移動する際に蓄尿バッグを床に引きずってしまったり、車輪により穴を開けてしまい、衛生上の問題を起こすおそれがある。
【０００５】
【特許文献１】
特開昭５７−１６６１４７号公報、第３頁左上欄第２０行〜右下欄第４行および第２図
【０００６】
【発明が解決しようとする課題】
本発明は、簡単な操作で、しかも安定的に固定することができる医療用バッグの固定具を提供することを課題とする。
【０００７】
【課題を解決するための手段】
このような目的は、下記（１）〜（１０）の本発明により達成される。
【０００８】
（１）  液体を貯留し得るバッグ本体を有する医療用バッグをシート状物に固定する医療用バッグの固定具であって、
前記医療用バッグの上端部に装着される装着部と、前記シート状物の上面に係合する係合部とを有することを特徴とする医療用バッグの固定具。
【０００９】
（２）  前記装着部は、その全部または一部が第１の棒状体で構成され、前記係合部は、前記第１の棒状体とほぼ平行な第２の棒状体で構成されており、前記第１の棒状体と前記第２の棒状体との間に前記シート状物を挿入するように構成されている上記（１）に記載の医療用バッグの固定具。
【００１０】
（３）  前記第１の棒状体および前記第２の棒状体の一端側に、前記第１の棒状体と前記第２の棒状体とを連結する連結部を有する上記（２）に記載の医療用バッグの固定具。
【００１１】
（４）  前記連結部は、医療用バッグの固定具をシート状物に固定する際に手で把持する把持部として機能する上記（３）に記載の医療用バッグの固定具。
【００１２】
（５）  前記係合部は、前記シート状物に当接する面を有し、この面が平坦な面で構成されている上記（１）ないし（４）のいずれかに記載の医療用バッグの固定具。
【００１３】
（６）  前記係合部は、前記シート状物に対する摩擦抵抗を増大する滑り止め手段を有する上記（１）ないし（４）のいずれかに記載の医療用バッグの固定具。
【００１４】
（７）  前記装着部と前記係合部とは、互いに他方の機能を兼ね備えている上記（１）ないし（６）のいずれかに記載の医療用バッグの固定具。
【００１５】
（８）  前記装着部と前記係合部とは、ほぼ同一の形状をなしている上記（１）ないし（７）のいずれかに記載の医療用バッグの固定具。
【００１６】
（９）  前記シート状物は、車椅子の座面である上記（１）ないし（８）のいずれかに記載の医療用バッグの固定具。
【００１７】
（１０）  前記医療用バッグは、蓄尿バッグである上記（１）ないし（９）のいずれかに記載の医療用バッグの固定具。
【００１８】
【発明の実施の形態】
以下、本発明の医療用バッグの固定具を添付図面に示す好適実施例に基づいて詳細に説明する。
【００１９】
本発明における医療用バッグは、例えば、蓄尿バッグ、排液バッグ、血液バッグ、輸液バッグ等の液体を貯留し得るバッグ本体を有するものであるが、以下、蓄尿バッグをシート状物に固定する場合について説明する。また、本発明におけるシート状物は、例えば、車椅子の座面、ベッドマット、撥水シート等のシート状の形態の物であるが、以下、車椅子の座面に適用した場合について説明する。
【００２０】
図１は、本発明の医療用バッグの固定具（以下単に「固定具」と言う）を蓄尿バッグの固定具に適用した場合の第１実施形態を示す斜視図、図２は、本発明の固定具により蓄尿バッグを車椅子の座面に固定する際の操作を示す斜視図、図３は、本発明の固定具により蓄尿バッグを車椅子の座面に固定した状態を示す斜視図である。なお、以下の説明では、図１〜図３中の上方を「上」または「上端」、下方を「下」または「下端」と言う。
【００２１】
まず、蓄尿バッグ１０について説明する。図１に示すように、蓄尿バッグ１０は、主に可撓性を有する樹脂材料よりなるシート材で構成されたバッグ本体１１を有している。
【００２２】
バッグ本体１１は、柔軟な樹脂製シート材を２枚重ね、周縁部を含む所定部位を融着（例えば熱融着、高周波融着等）または接着することによりシールして（シール部１２を形成して）袋状に成形したものである。なお、バッグ本体１１の他の構成としては、熱可塑性樹脂材料を円筒押出成形により袋状に成形し、その両端部を上記シート材の場合と同様に融着または接着したもの等でもよい。
【００２３】
バッグ本体１１のシール部１２で囲まれる領域には、液体、すなわち採取された尿を収納、蓄積する収納部（収納空間）１３が形成されている。
【００２４】
バッグ本体１１を構成する樹脂材料としては、例えば、ポリ塩化ビニル、エチレン−酢酸ビニル共重合体、ポリエチレン、ポリプロピレン等のポリオレフィンが挙げられる。
【００２５】
バッグ本体１１の上端部には、後述する固定具１の装着部２が挿入される管状部１４が形成されている。管状部１４は、例えばバッグ本体１１を構成するシート材をループ状に成形したもの、あるいは管状の別部材を固定したもの等で構成することができる。
【００２６】
バッグ本体１１の上端部側方には、可撓性を有する樹脂製のチューブ１５が液密に固定されている。このチューブ１５は、バッグ本体１１内に患者の尿を導入するためのチューブであり、その他端は、患者の尿道（尿管）に留置されたカテーテル（図示せず）に接続される。チューブ１５の内腔は、蓄尿バッグ１０の収納部１３に連通している。
【００２７】
固定具１は、蓄尿バッグ１０の上端部に装着される装着部２と、車椅子６の座面（シート状物）７の上面７１に係合する係合部３と、これらを連結する連結部４とで構成されている。
【００２８】
装着部２は、全体が棒状体（第１の棒状体）で構成されている。この場合、棒状体の横断面形状は、円形（丸棒）、楕円形、四角形（角棒）、三角形等、いかなる形状でもよいが、図示の構成では、円形となっている。また、この棒状体は、中実でも中空でもよい。
【００２９】
装着部２の棒状体の外径は、特に限定されないが、２〜１０ｍｍ程度が好ましく、３〜７ｍｍ程度がより好ましい。これにより、棒状体が太くなり過ぎずに十分な強度（耐荷重性）を確保することができる。
【００３０】
装着部２の棒状体の長さは、特に限定されないが、６〜５０ｃｍ程度が好ましく、１５〜３５ｃｍ程度がより好ましい。棒状体の長さが長過ぎると、操作性が低下し、棒状体の長さが短か過ぎると、棒状体の構成材料によっては耐荷重性が低下することがある。
【００３１】
装着部２の棒状体の先端部（連結部４と反対側の端部）は、丸みを帯びた形状あるいは先細り形状（テーパ状）となっているのが好ましい。これにより、蓄尿バッグ１０の管状部１４への装着部２の挿入操作をより容易かつ確実に行うことができる。
【００３２】
係合部３は、全体が棒状体（第２の棒状体）で構成されている。この場合、棒状体の横断面形状は、円形（丸棒）、楕円形、四角形（角棒）、三角形等、いかなる形状でもよいが、図示の構成では、円形となっている。また、この棒状体は、中実でも中空でもよい。
【００３３】
係合部３の棒状体の外径は、特に限定されないが、２〜１０ｍｍ程度が好ましく、３〜７ｍｍ程度がより好ましい。これにより、棒状体が太くなり過ぎずに十分な強度（耐荷重性）を確保することができる。
【００３４】
なお、係合部３の棒状体の外径は、装着部２の棒状体の外径と同一でも異なっていてもよい。
【００３５】
係合部３の棒状体の長さは、特に限定されないが、６〜５０ｃｍ程度が好ましく、１５〜３５ｃｍ程度がより好ましい。棒状体の長さが長過ぎると、操作性が低下し、棒状体の長さが短か過ぎると、棒状体の構成材料によっては耐荷重性が低下することがある。
【００３６】
なお、係合部３の棒状体の長さは、装着部２の棒状体の長さと同一でも異なっていてもよい。この場合、係合部３の棒状体の長さをＬ１、装着部２の棒状体の長さをＬ２としたとき、それらの差Ｌ１−Ｌ２は、Ｌ１の±４０％以内であるのが好ましく、±２５％以内であるのがより好ましい。これにより、蓄尿バッグ１０を座面７に対し特に安定して固定することができる。もちろん、Ｌ１＜Ｌ２、Ｌ１＝Ｌ２、Ｌ１＞Ｌ２のいずれでもよい。
【００３７】
係合部３の棒状体の先端部（連結部４と反対側の端部）は、丸みを帯びた形状、先細り形状（テーパ状）あるいは傾斜面状となっているのが好ましい。これにより、固定具１の座面７への装着操作、すなわち装着部２と係合部３との間隙に座面７を挿入する操作をより容易かつ確実に行うことができる。
【００３８】
装着部２と係合部３とは、所定の間隙距離Ｓを隔てて、ほぼ平行に形成されている。すなわち、それらの間隙距離Ｓは、装着部２の長手方向に沿ってほぼ一定とされている。
【００３９】
間隙距離Ｓの値は、特に限定されないが、座面７のシート材を過不足なく挟むことができる値であるのが好ましく、例えば、間隙距離Ｓは、２〜１０ｍｍ程度、特に３〜６ｍｍ程度とすることができる。
【００４０】
なお、装着部２および／または係合部３は、ある程度のバネ性（弾性）を有していてもよく、この場合には、座面７への装着時には、前記間隙距離Ｓは増大する。
【００４１】
装着部（第１の棒状体）２および係合部（第２の棒状体）３の一端側には、これらを連結する連結部４が設けられている。この連結部４は、装着部（第１の棒状体）２および係合部（第２の棒状体）３と一体的に形成されたものでも、別部材よりなるものでもよい。
【００４２】
この連結部４は、固定具１を車椅子６の座面７に固定する際に手で把持する把持部として機能するものである（図２参照）。すなわち、連結部４を把持して操作を行うことができ、操作性の向上に寄与する。従って、連結部４は、把持に適した形状であるのが好ましく、図示の例では、ブロック状をなしている。
【００４３】
また、図示されていないが、連結部４の外面に、例えば滑り止め機能を有する小さな凹凸（粗面も含む）や溝を形成したり、ゴムや熱可塑性エラストマー等の弾性材料を被覆したりすることもできる。これにより、固定具１が手から滑り落ちて不本意に落下させたりすることが防止され、操作性がさらに向上する。
【００４４】
装着部２、係合部３および連結部４の構成材料としては、例えば、ステンレス鋼、アルミニウム、チタン等の金属材料、ポリエチレン、ポリプロピレン等のポリオレフィン、ポリ塩化ビニル（特に硬質ポリ塩化ビニル）、ポリカーボネート、ＡＢＳ樹脂等の各種樹脂材料が挙げられる。これらの材料は、腐食、変質、劣化し難い材料、特に、尿と接触しても腐食、変質、劣化が生じず、強度の低下もない材料であり、好ましい。
【００４５】
装着部２、係合部３および連結部４は、それぞれ異なる材料で構成されていてもよいが、これらが同一の材料で一体成形されているのが好ましい。その理由は、部品点数が少なく製造が容易であることと、連結部４付近の強度をより高くすることができることである。
【００４６】
なお、固定具１の耐荷重性は、特に限定されないが、好ましくは最大荷重が５ｋｇ程度、より好ましくは３ｋｇ程度とされる。これにより、蓄尿バッグ１０の収納部１３が尿で満量となり、かつ車椅子での移動による振動、揺動が加わったとしても、十分に耐え得る。
【００４７】
次に、固定具１により蓄尿バッグ１０を車椅子６の座面７に固定する際の操作を、図１〜図３に基づいて説明する。
【００４８】
まず、図１に示すように、固定具１の連結部４を把持し、装着部２を蓄尿バッグ１０の管状部１４内に挿入し、図２に示す状態とする。
【００４９】
次に、管状部１４で覆われた装着部２と係合部３との間に座面７が挿入されるように、図２中の矢印方向に押し込み、座面７を挟持する。図３に示すように、座面７の前方縁部が連結部４に当接するかまたは接近するまで固定具１を押し込むことにより、座面７への固定（装着）が完了する。
【００５０】
以上のように、きわめて簡単な操作で蓄尿バッグ１０を車椅子６の座面７に固定することができる。従って、この操作は、医師、看護士、介助者等に限らず、患者自身でも行うことができる。
【００５１】
図４は、固定具の第２実施形態を示す正面図である。以下、図４に示す固定具１について説明するが、前述の第１実施形態と相違する点を中心に説明し、同様の事項についてはその説明を省略する。
【００５２】
図４に示す固定具１は、装着部２の構成が異なる以外は、第１実施形態と同様である。すなわち、装着部２は、前記と同様の棒状体（第１の棒状体）に複数のクリップ２１が設置された構成である。各クリップ２１は、第１の棒状体に対し紐またはリング等で連結されているが、これに限らず、クリップ２１は、第１の棒状体に例えば接着、融着、ネジ止め、嵌合等により固着されていてもよく、あるいは、クリップ２１の一部が第１の棒状体と一体的に形成されていてもよい。もちろん、クリップ２１は、第１の棒状体に対し着脱自在であってもよい。
【００５３】
そして、本実施形態の固定具１では、２つのクリップ２１により蓄尿バッグ１０の上端部１６を挟み、蓄尿バッグ１０を保持する。
【００５４】
このような構成の固定具１では、管状部１４を有さない蓄尿バッグ１０に対しても用いることができるという利点がある。
【００５５】
図５は、固定具の第３実施形態を示す正面図である。以下、図５に示す固定具１について説明するが、前述の第１実施形態と相違する点を中心に説明し、同様の事項についてはその説明を省略する。
【００５６】
図５に示す固定具１は、連結部４の構成が異なる以外は、第１実施形態と同様である。すなわち、連結部４は、Ｕ字状をなす棒状体で構成され、装着部２を構成する棒状体（第１の棒状体）と、連結部４を構成する棒状体と、係合部３を構成する棒状体（第１の棒状体）とが一体的に形成され、全体として棒状体が約半分の位置で１８０°に折り曲げられた形状をなしている。
【００５７】
また、本実施形態の固定具１では、装着部２と係合部３とが拡張する（開く）のを防止する拡張防止具５が、連結部４の近傍に設置されている。この拡張防止具５は、装着部２および係合部３の外周に巻き付くように設置された帯状の部材で構成され、装着部２および係合部３の先端部同士が離間して装着部２および係合部３の平行な位置関係が損なわれるのを規制する。
【００５８】
拡張防止具５の構成材料としては、各種金属材料や比較的硬質な樹脂材料が挙げられる。
【００５９】
前記第１〜第３実施形態において、装着部２と係合部３とは、ほぼ同様の形状をなしている。すなわち、第１の棒状体と第２の棒状体の横断面形状、外径、長さがほぼ同一であるのが好ましい。これにより、装着部２と係合部３とは、互いに他方の機能を兼ね備えることとなる。そのため、装着部２と係合部３とを逆にしても使用することもでき、固定具１を蓄尿バッグ１０に装着する際に、装着部２と係合部３との区別を認識して管状部１４に挿入する必要がなく、いずれを挿入してもよいので、その操作がより簡便となる。
【００６０】
また、本発明の固定具１では、係合部３が図６に示すような形状であってもよい。すなわち、係合部３は、車椅子６の座面７の上面７１に当接する当接面３１を有し、この当接面３１が平坦な面で構成されている。これにより、座面７の上面７１に対する接触面積が大きくなり、蓄尿バッグ１０をより安定的に固定することができ、座面７からの離脱もより確実に防止することができる。
【００６１】
なお、当接面３１には、例えば滑り止め機能を有する小さな凹凸（粗面も含む）や溝を形成したり、ゴムや熱可塑性エラストマー等の弾性材料を被覆したりすることもできる。これにより、座面７の上面７１に対する摩擦抵抗を増大させ、固定の安定性をさらに向上することができる。
【００６２】
なお、図６の構成では、係合部３の横断面形状は半円形となっているが、当接面３１が平坦な面であればこのような形状に限らず、例えば係合部３の横断面形状は正方形、長方形、台形、三角形等であってもよい。
【００６３】
以上、本発明の医療用バッグの固定具を図示の各実施形態について説明したが、本発明は、これに限定されるものではなく、各部の構成は、同様の機能を発揮し得る任意の構成と置換することができる。また、任意の付加物（付加的構成要件）を有していてもよい。
【００６４】
また、本発明における医療用バッグは、蓄尿バッグに限らず、その他の用途のバッグ、例えば、排液バッグ、血液バッグ、輸液バッグ等にも適用することができる。これらの医療用バッグに適用する場合には、必要に応じてポンプが併用される。
【００６５】
また、本発明の医療用バッグの固定具は、車椅子の座面に装着する場合に限らず、その他のシート状物、例えば、ベッドマット、撥水シート等にも適用することができる。
【００６６】
【発明の効果】
以上述べたように、本発明によれば、シート状物への装着、取り外し等の操作を簡単に行うことができ、しかも、医療用バッグを安定的に固定することができる。
また、構造も簡易で、製造も容易である。
【図面の簡単な説明】
【図１】本発明の医療用バッグの固定具を蓄尿バッグの固定具に適用した場合の第１実施形態を示す斜視図である。
【図２】本発明の医療用バッグの固定具により蓄尿バッグを車椅子の座面に固定する際の操作を示す斜視図である。
【図３】本発明の医療用バッグの固定具により蓄尿バッグを車椅子の座面に固定した状態を示す斜視図である。
【図４】本発明の医療用バッグの固定具を蓄尿バッグの固定具に適用した場合の第２実施形態を示す斜視図である。
【図５】本発明の医療用バッグの固定具を蓄尿バッグの固定具に適用した場合の第３実施形態を示す斜視図である。
【図６】本発明の医療用バッグの固定具における係合部の形状を示す横断面図である。
【符号の説明】
１            固定具
２            装着部
２１          クリップ
３            係合部
３１          当接面
４            連結部
５            拡張防止具
６            車椅子
７            座面
７１          上面
１０          蓄尿バッグ
１１          バッグ本体
１２          シール部
１３          収納部（収納空間）
１４          管状部
１５          チューブ
１６          上端部
【図１】
2004201992.tif 000003
【図２】
2004201992.tif 000004
【図３】
2004201992.tif 000005
【図４】
2004201992.tif 000006
【図５】
2004201992.tif 000007
【図６】
2004201992.tif 000008